(57)【特許請求の範囲】
【請求項１】
端末の発呼により端末情報を電話回線を介してセンタへ通報するとともに、前記センタからのデータを前記電話回線を介して受信して前記端末に送信する自動通報装置であって、
所定周波数を含む第１周期の呼出信号が前記電話回線を介して入力されるとともに、前記第１周期とは異なる前記所定周波数を含む第２周期の通信前情報通知信号が前記呼出信号の前に入力されるとき、前記第１周期及び前記第２周期に基づき前記呼出信号を検出する呼出検出回路と、
この呼出検出回路で検出された呼出信号による電話機の鳴音回数をカウントする鳴音回数カウンタと、
この鳴音回数カウンタでカウントされた鳴音回数が予め設定された設定着信回数に一致した場合に前記センタとの間で通信を行う通信処理部と、
を備え、
前記呼出信号は、前記所定周波数がある第１オン時間とこの時間よりも長く前記所定周波数がない第１オフ時間との合計時間を前記第１周期とする信号であり、前記通信前情報通知信号は、前記第１オン時間よりも短く前記所定周波数がある第２オン時間と前記第１オン時間よりも短く前記所定周波数がない第２オフ時間との合計時間を前記第２周期とする信号であり、
前記呼出検出回路は、前記通信前情報通知信号が、前記電話回線を介して前記呼出信号の前に入力されるとき、前記通信前情報通知信号及び前記呼出信号のそれぞれの前記所定周波数を検出する所定周波数検出部と、
前記所定周波数を検出した時から前記第１オン時間が経過後の前記第１のオフ時間内の一定時間において前記所定周波数の有無を判定する判定処理を行い、前記所定周波数が有りと判定した場合に前記判定処理を再度実行し、前記所定周波数が無いと判定した場合に前記呼出信号を検出したと判定する判定部と、
を備えることを特徴とする自動通報装置。
【請求項２】
前記判定部は、前記電話回線を介して前記呼出信号のみが入力されるときに、前記呼出信号の前記所定周波数を検出した時から前記第１オン時間が経過後の前記一定時間において前記所定周波数の有無を判定する判定処理を行い、前記所定周波数が無いと判定した場合に前記呼出信号を検出したと判定することを特徴とする請求項１記載の自動通報装置。
【請求項３】
前記第２オン時間と前記第２オフ時間との合計時間は、前記第１オン時間と略同一時間であり、前記一定時間は、前記第１オン時間と略同一時間であることを特徴とする請求項１または請求項２記載の自動通報装置。
【請求項４】
端末の発呼により端末情報を電話回線を介してセンタへ通報するとともに、前記センタからのデータを前記電話回線を介して受信して前記端末に送信する自動通報方法であって、
所定周波数を含む第１周期の呼出信号が前記電話回線を介して入力されるとともに、前記第１周期とは異なる前記所定周波数を含む第２周期の通信前情報通知信号が前記呼出信号の前に入力されるとき、前記第１周期及び前記第２周期に基づき前記呼出信号を検出する呼出検出ステップと、
検出された呼出信号による電話機の鳴音回数をカウントする鳴音回数ステップと、
カウントされた鳴音回数が予め設定された設定着信回数に一致した場合に前記センタとの間で通信を行う通信処理ステップと、
を備え、
前記呼出信号は、前記所定周波数がある第１オン時間とこの時間よりも長く前記所定周波数がない第１オフ時間との合計時間を前記第１周期とする信号であり、前記通信前情報通知信号は、前記第１オン時間よりも短く前記所定周波数がある第２オン時間と前記第１オン時間よりも短く前記所定周波数がない第２オフ時間との合計時間を前記第２周期とする信号であり、
前記呼出検出ステップは、前記通信前情報通知信号が、前記電話回線を介して前記呼出信号の前に入力されるとき、前記通信前情報通知信号及び前記呼出信号のそれぞれの前記所定周波数を検出する所定周波数検出ステップと、
前記所定周波数を検出した時から前記第１オン時間が経過後の前記第１のオフ時間内の一定時間において前記所定周波数の有無を判定する判定処理を行い、前記所定周波数が有りと判定した場合に前記判定処理を再度実行し、前記所定周波数が無いと判定した場合に前記呼出信号を検出したと判定する判定ステップと、
を備えることを特徴とする自動通報方法。
【請求項５】
前記判定ステップは、前記電話回線を介して前記呼出信号のみが入力されるときに、前記呼出信号の前記所定周波数を検出した時から前記第１オン時間が経過後の前記一定時間において前記所定周波数の有無を判定する判定処理を行い、前記所定周波数が無いと判定した場合に前記呼出信号を検出したと判定することを特徴とする請求項４記載の自動通報方法。
【請求項６】
前記第２オン時間と前記第２オフ時間との合計時間は、前記第１オン時間と略同一時間であり、前記一定時間は、前記第１オン時間と略同一時間であることを特徴とする請求項５または請求項６記載の自動通報方法。
【発明の詳細な説明】
【０００１】
【発明の属する技術分野】
本発明は、ガスメータ等の端末からガス情報等をセンタに自動通報するとともに、センタからローディングされる共通型の自動通報装置及び自動通報方法に関する。
【０００２】
【従来の技術】
従来の自動通報装置は、外部のガスメータのガス検針値や、異常状態等の制御情報を検出して、電話回線を介して外部のホストコンピュータ等のセンタに通報するとともに、センタからの設定データを受信するものであり、従来のこの種の自動通報装置としては、例えば特開平９−６４９９１号公開公報に記載された自動通報システム装置が知られている。
【０００３】
この従来の自動通報システム装置の概略構成ブロック図を図８に示す。この自動通信システム装置は、メータ１０８及びセンサ１０９等の情報を集中監視センタ１０２へ電話回線網１０３を介して端末側起動により自動的に伝送するとともに、集中監視センタ１０２側からの起動により電話回線網１０３と加入者電話回線１１０を介してデータ伝送できる相互起動型の自動通報装置１０１を備えている。
【０００４】
この自動通報システム装置は、１本の電話回線に複数台接続した自動通報装置１０１に対して集中監視センタ１０２から電話をかけ、ベル呼出音が規定回数鳴るように制御して電話を切る。
【０００５】
また、自動通報システム装置は、自動通報装置１０１を呼び出すベル呼出信号を検出するベル検出回路１１１と、電話機１０７のオフフックを検出する回線電流検出回路１１３と、電話機１０７を加入者電話回線１１０から切り離すリレースイッチ１２４と、ベル呼出信号の検出回数をカウントする機能と、ベル呼出信号の検出回数カウント値を設定する設定機能とを有している。
【０００６】
そして、ベル呼出信号の検出回数が設定値と一致した場合には、一定時間後に集中監視センタ１０２に端末側起動によりデータ伝送するように制御して、集中監視センタ１０２との間で通信を行う。
【０００７】
この動作を図９を参照して詳細に説明する。まず、自動通報装置は、電話回線の電圧の変化により、極性反転（極反）を検出した後（ステップＳ１０１）、１６Ｈｚ呼出信号を検出する（ステップＳ１０３）。
【０００８】
そして、自動通報装置は、１６Ｈｚ呼出信号の検出によって、鳴音回数（実際に電話機のベルが鳴った回数）を１だけ加算し（ステップＳ１０５）、さらに、２．５秒タイマのカウントを開始させる（ステップＳ１０７）。
【０００９】
カウント開始から時間が２．５秒間経過したかどうかを判定し（ステップＳ１０９）、時間が２．５秒間経過した場合には、鳴音回数（ベル呼出信号の検出回数）が設定着信回数（設定値）に一致したかどうかを判定する（ステップＳ１１１）。鳴音回数が設定着信回数に一致した場合には、オフフックして通信を開始する（ステップＳ１１３）。
【００１０】
これにより、ノーリンギング通信を使用しなくても、センタから通常のベル呼び出しを行い、目的の自動通報装置を呼び出して、データ通信を行うことができる。
【００１１】
ところで、最近では、サービスを契約された顧客に着信があった場合、発信回線の電話番号等の情報を、通信前に契約回線を通してモデム信号により端末等に送出するサービス、すなわち、通信前情報通知サービスが利用されるようになってきた。この通信前情報通知サービスとしては、例えば、発信回線の電話番号等を通知するサービス、すなわち、ナンバーディスプレイサービスがある。
【００１２】
このナンバーディスプレイサービスを行うナンバーディスプレイ契約回線（通信前情報通知サービスの契約回線）では、発信電話番号及び発信電話番号拡張情報が、加入者交換機から、着信側である自動通報装置や、情報受信機能及び一般の電話機能を有する情報受信電話機に送出される。
【００１３】
この発信電話番号及び発信電話番号拡張情報を図１０に示す。発信電話番号は、図１０（ａ）に示すように、“0000010”の発信電話番号、“0000001〜0010100”の情報内容長、キャラクタ２０数字以内やローマ字用ＪＩＳ７単位符号の情報内容等からなる。また、発信電話番号拡張情報は、図１０（ｂ）に示すように、“0１00001”の発信電話番号拡張情報、“0000011”の情報内容長、番号種別１数字や番号計画識別子２数字の情報内容等からなる。
【００１４】
ナンバーディスプレイ契約回線においては、発信電話番号等の情報を含むナンバーディスプレイ信号（情報受信端末起動信号）が、加入者交換機から、１６Ｈｚの呼出信号（以下、電話のベルを鳴らすための呼出信号をナンバーディスプレイ信号と区別するために鳴音信号と称する。）の前に、自動通報装置へ送られていた。
【００１５】
図１１に着信時のナンバーディスプレイ信号及び鳴音信号を示す。図１１に示すように、ナンバーディスプレイ信号は、０．５秒間のＯＮ（１６Ｈｚ有り）と０．５秒間のＯＦＦ（１６Ｈｚ無し）とが繰り返された信号であり、鳴音信号は、１秒間のＯＮ（１６Ｈｚ有り）と２秒間のＯＦＦ（１６Ｈｚ無し）とが繰り返された信号である。
【００１６】
【発明が解決しようとする課題】
しかしながら、ナンバーディスプレイ契約回線では、鳴音信号の前に、１６Ｈｚの鳴音信号と同一周波数である１６Ｈｚのナンバーディスプレイ信号が前述した自動通報装置１０１へ送信されてくるため、この自動通報装置１０１は、前述した図９のフローチャートの処理に従って、処理を実行するから、ナンバーディスプレイ信号を鳴音信号と誤認してしまう。
【００１７】
図１１に示すように、設定着信回数を例えば２回に設定した場合には、時刻ｔ1でナンバーディスプレイ信号の１６Ｈｚを検出するため、時刻ｔ1で着信回数（自動通報装置が認識した電話機のベルが鳴った回数）を１回とカウントする。そして、時刻ｔ1から２．５秒経過時の時刻ｔ2で着信回数が設定着信回数に一致していない。
【００１８】
このため、時刻ｔ3でナンバーディスプレイ信号の１６Ｈｚを検出するため、時刻ｔ3で着信回数を２回とカウントする。そして、時刻ｔ3から２．５秒経過時の時刻ｔ4で着信回数が設定着信回数に一致するため、この時点で着信してしまう。しかし、鳴音信号は、ナンバーディスプレイ信号の後にあるため、実際にはベルが１回も鳴っていないことになる。
【００１９】
また、例えば、着信回数を１回に設定した場合、ナンバーディスプレイ信号を受信中に、自動通報装置がオフフックしてしまうことがある。このとき、電話のベルは鳴っておらず、オフフックしてしまうと、電話が切れる場合があった。
【００２０】
さらに、着信回数にズレが生ずる場合もあった。例えば、自動通報装置に着信回数を５回と設定した場合であって、センタから電話をかけ、リングバックトーンを検出しながら、着信回数が５回以外で着信した場合には、お断りメッセージ等が流れるようになっていると、簡易リンギング着信が行えなくなることがあった。
【００２１】
本発明は、ナンバーディスプレイ契約回線でのナンバーディスプレイ信号を回避し、設定された着信回数でリンギング着信を行うことができる自動通報装置及び自動通報方法を提供することを課題とする。
【００２２】
【課題を解決するための手段】
本発明は、前記課題を解決するために以下の構成とした。請求項１の発明は、端末の発呼により端末情報を電話回線を介してセンタへ通報するとともに、前記センタからのデータを前記電話回線を介して受信して前記端末に送信する自動通報装置であって、所定周波数を含む第１周期の呼出信号が前記電話回線を介して入力されるとともに、前記第１周期とは異なる前記所定周波数を含む第２周期の通信前情報通知信号が前記呼出信号の前に入力されるとき、前記第１周期及び前記第２周期に基づき前記呼出信号を検出する呼出検出回路と、この呼出検出回路で検出された呼出信号による電話機の鳴音回数をカウントする鳴音回数カウンタと、この鳴音回数カウンタでカウントされた鳴音回数が予め設定された設定着信回数に一致した場合に前記センタとの間で通信を行う通信処理部とを備え、前記呼出信号は、前記所定周波数がある第１オン時間とこの時間よりも長く前記所定周波数がない第１オフ時間との合計時間を前記第１周期とする信号であり、前記通信前情報通知信号は、前記第１オン時間よりも短く前記所定周波数がある第２オン時間と前記第１オン時間よりも短く前記所定周波数がない第２オフ時間との合計時間を前記第２周期とする信号であり、前記呼出検出回路は、前記通信前情報通知信号が、前記電話回線を介して前記呼出信号の前に入力されるとき、前記通信前情報通知信号及び前記呼出信号のそれぞれの前記所定周波数を検出する所定周波数検出部と、前記所定周波数を検出した時から前記第１オン時間が経過後の前記第１のオフ時間内の一定時間において前記所定周波数の有無を判定する判定処理を行い、前記所定周波数が有りと判定した場合に前記判定処理を再度実行し、前記所定周波数が無いと判定した場合に前記呼出信号を検出したと判定する判定部とを備えることを特徴とする。
【００２３】
請求項１の発明によれば、呼出検出回路は、所定周波数を含む第１周期の呼出信号が電話回線を介して入力されるとともに、第１周期とは異なる所定周波数を含む第２周期の通信前情報通知信号が呼出信号の前に入力されるとき、第１周期及び第２周期に基づき呼出信号を検出し、鳴音回数カウンタは、呼出検出回路で検出された呼出信号による電話機の鳴音回数をカウントし、通信処理部は、カウントされた鳴音回数が予め設定された設定着信回数に一致した場合にセンタとの間で通信を行う。
【００２４】
従って、呼出信号の前に通信前情報通知信号が入力された場合であっても、その通信前情報通知信号を回避し、設定着信回数でリンギング着信を行うことができる。
【００２６】
また、所定周波数検出部が通信前情報通知信号の所定周波数を検出すると、判定部は、その所定周波数を検出した時から第１オン時間が経過後の第１のオフ時間内の一定時間において所定周波数の有無を判定する判定処理を行い、所定周波数が有りと判定した場合に判定処理を再度実行する。そして、所定周波数が無いと判定した場合には、呼出信号を検出したと判定するため、鳴音回数カウンタが鳴音回数をカウントする。
【００２７】
すなわち、呼出信号前の通信前情報通知信号を回避でき、鳴音回数を正確にカウントすることができるため、リンギング着信を設定着信回数で行うことができる。
【００２８】
請求項２の発明の前記判定部は、前記電話回線を介して前記呼出信号のみが入力されるときに、前記呼出信号の前記所定周波数を検出した時から前記第１オン時間が経過後の前記一定時間において前記所定周波数の有無を判定する判定処理を行い、前記所定周波数が無いと判定した場合に前記呼出信号を検出したと判定することを特徴とする。
【００２９】
請求項２の発明によれば、電話回線を介して呼出信号のみが入力されるときに、呼出信号の所定周波数を検出した時から第１オン時間が経過後の一定時間において、判定部が、所定周波数の有無を判定する判定処理を行い、所定周波数が無いと判定した場合に呼出信号を検出したと判定する。
【００３０】
すなわち、一般の電話回線においても、鳴音回数を正確にカウントすることができるため、リンギング着信を設定着信回数で行うことができる。
【００３１】
請求項３の発明の前記第２オン時間と前記第２オフ時間との合計時間は、前記第１オン時間と略同一時間であり、前記一定時間は、前記第１オン時間と略同一時間であることを特徴とする。
【００３２】
請求項３の発明によれば、第２オン時間と第２オフ時間との合計時間を、第１オン時間と略同一時間とし、一定時間を、第１オン時間と略同一時間とすることで、呼出信号と通信前情報通知信号とを容易に区別し、通信前情報通知信号を回避することができる。
【００３３】
請求項４の発明は、端末の発呼により端末情報を電話回線を介してセンタへ通報するとともに、前記センタからのデータを前記電話回線を介して受信して前記端末に送信する自動通報方法であって、所定周波数を含む第１周期の呼出信号が前記電話回線を介して入力されるとともに、前記第１周期とは異なる前記所定周波数を含む第２周期の通信前情報通知信号が前記呼出信号の前に入力されるとき、前記第１周期及び前記第２周期に基づき前記呼出信号を検出する呼出検出ステップと、検出された呼出信号による電話機の鳴音回数をカウントする鳴音回数ステップと、カウントされた鳴音回数が予め設定された設定着信回数に一致した場合に前記センタとの間で通信を行う通信処理ステップとを備えることを特徴とするものである。
【００３４】
また、前記呼出信号は、前記所定周波数がある第１オン時間とこの時間よりも長く前記所定周波数がない第１オフ時間との合計時間を前記第１周期とする信号であり、前記通信前情報通知信号は、前記第１オン時間よりも短く前記所定周波数がある第２オン時間と前記第１オン時間よりも短く前記所定周波数がない第２オフ時間との合計時間を前記第２周期とする信号であり、前記呼出検出ステップは、前記通信前情報通知信号が、前記電話回線を介して前記呼出信号の前に入力されるとき、前記通信前情報通知信号及び前記呼出信号のそれぞれの前記所定周波数を検出する所定周波数検出ステップと、前記所定周波数を検出した時から前記第１オン時間が経過後の前記第１のオフ時間内の一定時間において前記所定周波数の有無を判定する判定処理を行い、前記所定周波数が有りと判定した場合に前記判定処理を再度実行し、前記所定周波数が無いと判定した場合に前記呼出信号を検出したと判定する判定ステップとを備えることを特徴とする。
【００３５】
請求項５の発明の前記判定ステップは、前記電話回線を介して前記呼出信号のみが入力されるときに、前記呼出信号の前記所定周波数を検出した時から前記第１オン時間が経過後の前記一定時間において前記所定周波数の有無を判定する判定処理を行い、前記所定周波数が無いと判定した場合に前記呼出信号を検出したと判定することを特徴とする。
【００３６】
請求項６の発明の前記第２オン時間と前記第２オフ時間との合計時間は、前記第１オン時間と略同一時間であり、前記一定時間は、前記第１オン時間と略同一時間であることを特徴とする。
【００３７】
【発明の実施の形態】
以下、本発明の自動通報装置及び自動通報方法の実施の形態を図面を参照して説明する。図１に本発明の自動通報装置の実施の形態の概略構成ブロック図を示す。図２に実施の形態の自動通報装置を含む自動通報システムの構成ブロック図を示す。
【００３８】
図２において、集中監視を行うセンタ１には、交換機２ａ、電話回線３ａ、加入者交換機等の交換機２ｂ、加入者電話回線等の電話回線３ｂを介して自動通報装置４が接続されている。この自動通報装置４には電話機５、及び複数のガスメータ７ａ〜７ｎが接続されている。
【００３９】
交換機２ｂは、ナンバーディスプレイ信号及び鳴動音信号を電話回線３ｂを介して自動通報装置４に送出するようになっている。電話回線３ｂは、ナンバーディスプレイ契約回線である。
【００４０】
センタ１は、ガスメータ７ａ〜７ｎの発呼によるガス情報を自動通報装置４から受信し、自動通報装置４及びガスメータ７ａ〜７ｎの各々に設定するための設定データを作成し、この設定データを電話回線を介して自動通報装置４及びガスメータ７ａ〜７ｎに設定するようになっている。
【００４１】
図１に示す自動通報装置は、１６Ｈｚ検出回路１１、極性反転検出回路１３、回線電流検出回路１５、整流回路１７、直流閉結回路１８、変復調回路（モデム）１９、切替スイッチ２１、オフフック検出回路２３、制御部２７、インターフェイス２９を備えて構成される。インターフェイス２９にはガスメータ７ａ等が接続されており、切替スイッチ２１には電話機５が接続されている。
【００４２】
１６Ｈｚ検出回路１１は、電話機５を呼び出す呼出信号を検出するもので、電話回線３ｂを介して入力される着信呼出中であることを示す１６Ｈｚの呼出信号を検出し、検出された呼出信号を制御部２７に出力する。１６Ｈｚ検出回路１１は、１６Ｈｚ検出部３１、１６Ｈｚ検出電源３３、１．５秒タイマ３５、１秒タイマ３７、及び１６Ｈｚ有無判定部３９を有して構成される。
【００４３】
１６Ｈｚ検出部３１は、極反後に、ナンバーディスプレイ信号、及び鳴音信号のそれぞれに有する１６Ｈｚ信号を検出する。１６Ｈｚ検出電源３３は、１６Ｈｚ検出部３１を動作させる電源である。
【００４４】
１．５秒タイマ３５は、１６Ｈｚ検出部３１が１６Ｈｚ信号を検出した時からカウントを開始し、１．５秒後に１６Ｈｚ検出電源３３にオン指示を与えるとともに、１秒タイマ３７に開始信号を出力する。
【００４５】
１秒タイマ３７は、１．５秒タイマ３５からの開始信号を１６Ｈｚ有無判定部３９に出力するとともに、開始信号の入力時からカウントを開始し、１秒経過後に終了信号を１６Ｈｚ有無判定部３９に出力する。
【００４６】
１６Ｈｚ有無判定部３９は、１秒タイマ３７からの開始信号及び終了信号により、ナンバーディスプレイ信号の１６Ｈｚ信号検出時から１．５秒経過後に、１秒間だけ１６Ｈｚ信号の有無を判定する判定処理を行い、１６Ｈｚ信号が有りと判定した場合には判定処理を再度実行し、１６Ｈｚ信号が無いと判定した場合には鳴音信号を検出したとして処理する。
【００４７】
極性反転検出回路１３は、通常着信時の電話回線の極性反転を検出し、極性反転検出信号を制御部２７に出力する。回線電流検出回路１５は、電話機５が１６Ｈｚの呼出信号に応答して電話回線を閉結したとき、電話回線３ｂに流れる電流を検出して制御部２７に出力する。
【００４８】
整流回路１７は、電話回線３ｂにおける電圧を整流して、直流閉結回路１８、及びモデム１９に一定の電圧を供給する。直流閉結回路１８は、制御部２７からの制御信号により、電話回線３ｂを図示しないトランスで閉結して、電話回線３ｂを通話状態にさせたり、あるいは電話回線３ｂを開放状態にする。
【００４９】
モデム１９は、制御部２７に接続され、０〜Ｆの数字を表す４ビットパラレルデータと、整流回路１７及び電話回線３ｂを介して伝送される信号との間の変換を行う。
【００５０】
切替スイッチ２１は、センタ１との間で電話回線を介してデータ伝送を行う際には自動通報装置側にあるオフフック検出回路２３に接続され、電話回線を介して通話を行う際には電話機５側に接続される。
【００５１】
切替スイッチ２１は、ガスメータ７ａ等の発呼事象の発生により自動通報装置がセンタ１に通報しなければならないとき、または、センタ１からデータを受信するとき、制御部２７から出力される制御信号により切り替えられる。
【００５２】
オフフック検出回路２３は、自動通報装置４が通信中で電話機５がオフフック検出回路側に切り替わっている時に、電話機５のオフフックを検出し、その検出信号を制御部２７に出力する。
【００５３】
制御部２７は、自動通報装置全体を制御するとともに、インターフェイス２９を介して外部のガスメータ７ａ等に接続されている。制御部２７は、鳴音回数カウンタ４１、リンギング通信処理部４５、設定着信回数メモリ４３、記憶部４７を有している。
【００５４】
鳴音回数カウンタ４１は、１６Ｈｚ有無判定部３９からの１６Ｈｚ無し判定信号の入力により、鳴音回数を１だけインクリメントする。設定着信回数メモリ４３は、予め設定された設定着信回数を記憶する。リンギング通信処理部４５は、鳴音回数カウンタ４１の鳴音回数が設定着信回数メモリ４３に記憶された設定着信回数に一致したか否かを判定し、鳴音回数が設定着信回数に一致した場合には、オフフックしてセンタ１の間のリンギング通信を開始させる。
【００５５】
次に、このように構成された実施の形態の自動通報装置及び自動通報システムの動作、すなわち、自動通報方法を図面を参照しながら説明する。図３に実施の形態の自動通報装置を含む自動通報システムの簡易リンギング通信の基本シーケンスを示す。まず、図３を参照して簡易リンギング通信の基本シーケンスを説明する。
【００５６】
センタ１がオフフックすると、交換機２ｂはＤＴをセンタ１へ返送する。さらに、センタ１が選択信号を交換機２ｂに送出すると、交換機２ｂは、呼出信号をコントローラ４、及びガスメータ７ａ等に送出する。
【００５７】
次に、コントローラ４は、オフフックして交換機２ｂに応答すると、交換機２ｂは極性反転した信号をセンタ１に送出する。さらに、コントローラ４は、オフフックした後に、応答信号としてマーク信号を交換機２ｂを介してセンタ１に送出する。そして、センタ１とコントローラ４との相互間、またはセンタ１とガスメータ７ａ等間のデータの送受信を開始する。
【００５８】
さらに、センタ１が終了電文を交換機２ｂを介してコントローラ４に送ると、コントローラ４は、これに応答した終了電文をセンタ１に送る。その後、通信エラー等でコントローラ側またはセンタ側から自己切断した場合には、回線を復旧させる。
【００５９】
図４に実施の形態の自動通報装置のタイムシーケンスを示す。次に、図４を参照して自動通報装置のタイムシーケンスを説明する。まず、電話回線からの電圧により、極性反転検出回路１３により極性反転を検出し、次に、１６Ｈｚ検出回路１１により呼出信号を検出する。
【００６０】
さらに、時間Ｔ１だけ電話機５（Ｔ端子）の使用の有無を監視した後、Ｔ端子を切り離し、オフフックする。さらに、オフフック後、センタ１への応答するまでの時間Ｔ２が経過した後、時間Ｔ３でセンタ１への応答信号を送る。
【００６１】
そして、センタ１とコントローラ４とのデータ送受信（通信シーケンス）が行われて、オンフックする。オンフック後、時間Ｔ４経過後に、電話機５を電話回線３ｂに接続する。
【００６２】
図５に実施の形態の自動通報装置の動作を説明するフローチャートを示す。次に、自動通報装置の動作を図５を参照して詳細に説明する。ここでは、ナンバーディスプレイ信号が鳴音信号の前に送られてくるものとする。
【００６３】
まず、自動通報装置において、極性反転検出回路１３は、電話回線３ｂの電圧の変化により、極性反転（極反）を検出し（ステップＳ１１）、１６Ｈｚ検出回路１１内の１６Ｈｚ検出部３１は、ナンバーディスプレイ信号の１６Ｈｚ信号を検出する（ステップＳ１３）。
【００６４】
すると、１．５秒タイマ３５のカウントを開始させ（ステップＳ１５）、カウント開始から時間が１．５秒間経過したかどうかを判定し（ステップＳ１７）、時間が１．５秒間経過した場合には、１秒タイマ３７のカウントを開始させる（ステップＳ１９）。
【００６５】
そして、１６Ｈｚ有無判定部３９は、ナンバーディスプレイ信号の１６Ｈｚ信号検出時から１．５秒経過後に、１秒間だけ１６Ｈｚ信号の検出の有無を判定する（ステップＳ２１）。１６Ｈｚ信号が検出された場合には、ステップＳ１５に戻り、判定処理を再度実行する。
【００６６】
一方、１６Ｈｚ信号が検出されず（ステップＳ２１のＮＯ）、１秒間が経過した場合には（ステップＳ２３のＹＥＳ）、鳴音信号を検出したとして検出信号を鳴音回数カウンタ４１に出力する。鳴音回数カウンタ４１は、鳴音回数を１だけ加算し（ステップＳ２５）、カウントアップされた鳴音回数をリンギング通信処理部４５に出力する。
【００６７】
リンギング通信処理部４５は、設定着信回数メモリ４３に記憶された設定着信回数を読み出して、鳴音回数カウンタ４１からの鳴音回数が設定着信回数になったかどうかを判定する（ステップＳ２７）。鳴音回数が設定着信回数になった場合には、リンギング通信処理部４５は、オフフックして通信を開始する（ステップＳ２９）。
【００６８】
このように、１６Ｈｚ信号を検出すると、１．５秒後に１秒間の１６Ｈｚ信号の有無を確認し、１６Ｈｚ信号が検出された場合には、再度、１．５秒後に１秒間の１６Ｈｚ信号の有無を判定する。この判定処理を、１秒間の１６Ｈｚ信号の有無の判定によって、１６Ｈｚ信号無しを確認するまで繰り返し行う。そして、１６Ｈｚ信号無しが確定した時点で、鳴音回数を１回とし、その鳴音回数を設定着信回数と比較する。
【００６９】
その結果、鳴音信号前のナンバーディスプレイ信号を回避して、鳴音回数を正確に検出することができるから、予め設定された設定着信回数によって通信を行うことができる。
【００７０】
（ナンバーディスプレイ信号がある場合）
次に、ナンバーディスプレイ信号がある場合の動作を図６のタイミングチャートを参照して詳細に説明する。図６にナンバーディスプレイ信号の回避処理を説明するためのタイミングチャートを示す。
【００７１】
まず、１６Ｈｚ検出電源３３は、オンとなっていて、１６Ｈｚ検出部３１が時刻ｔ1でナンバーディスプレイ信号の１６Ｈｚ信号を検出すると、その時から１．５秒タイマ３５のカウントが開始される。また、時刻ｔ2で１６Ｈｚ検出電源３３がオフされる。
【００７２】
そして、１６Ｈｚ信号検出時から１．５経過後の時刻ｔ3で１６Ｈｚ検出電源３３がオンされ、時刻ｔ3から時刻ｔ5までの１秒間、１６Ｈｚ信号の有無が判定される。この場合に、時刻ｔ4で１６Ｈｚ信号が検出される。このため、時刻ｔ4から１．５秒経過後に１秒間の１６Ｈｚ信号の有無の判定処理が再度実行されることになる。
【００７３】
そして、ナンバーディスプレイ信号が回避され、次に鳴音信号が入力されてくる。すなわち、時刻ｔ11で鳴音信号の１６Ｈｚが検出されると、１６Ｈｚ信号検出時から１．５経過後の時刻ｔ13から時刻ｔ14までの１秒間、１６Ｈｚ信号の有無が判定される。この場合には、時刻ｔ14で１６Ｈｚ信号が検出されない。このため、１６Ｈｚ信号無しが確定した時刻ｔ14で、鳴音回数を１回とし、その鳴音回数を設定着信回数と比較すればよい。
【００７４】
このように、ナンバーディスプレイ契約回線でも、簡易リンギング着信を設定着信回数で行うことができる。
【００７５】
（ナンバーディスプレイ信号がない場合）
次に、図７に鳴音信号の検出を説明するためのタイミングチャートを示す。ナンバーディスプレイ信号がない場合の動作を図７のタイミングチャートを参照して詳細に説明する。
【００７６】
まず、１６Ｈｚ検出電源３３は、オンとなっていて、１６Ｈｚ検出部３１が時刻ｔ1でナンバーディスプレイ信号の１６Ｈｚ信号を検出すると、その時から１．５秒タイマ３５のカウントが開始される。また、時刻ｔ2で１６Ｈｚ検出電源３３がオフされる。
【００７７】
そして、１６Ｈｚ信号検出時から１．５経過後の時刻ｔ3で１６Ｈｚ検出電源３３がオンされ、時刻ｔ3から時刻ｔ5までの１秒間、１６Ｈｚ信号の有無が判定される。この場合には、時刻ｔ4で１６Ｈｚ信号が検出されない。このため、１６Ｈｚ信号無しが確定した時刻ｔ4で、鳴音回数を１回とし、その鳴音回数を設定着信回数と比較すればよい。
【００７８】
次に、時刻ｔ5でナンバーディスプレイ信号の１６Ｈｚ信号を検出すると、その時から１．５秒タイマ３５のカウントが開始される。１６Ｈｚ信号検出時から１．５経過後の時刻ｔ7で１６Ｈｚ検出電源３３がオンされ、時刻ｔ7から時刻ｔ8までの１秒間、１６Ｈｚ信号の有無が判定される。この場合には、時刻ｔ8で１６Ｈｚ信号が検出されない。このため、１６Ｈｚ信号無しが確定した時刻ｔ8で、鳴音回数を２回とする。
【００７９】
従って、一般回線等の回線でも、簡易リンギング着信を設定着信回数で行うことができる。
【００８０】
このように、ナンバーディスプレイ回線、一般回線等の回線、ナンバーディスプレイ対応の電話機（ナンバーディスプレイ信号に対して直流ループを構成する電話機）、ナンバーディスプレイ未対応（ナンバーディスプレイ信号に対して何ら対応していない電話機）の電話機等の電話機の種類に関係なく、簡易リンギング着信を設定着信回数で行うことができる。
【００８１】
なお、本発明は、前述した実施の形態の自動通報装置及び自動通報システムに限定されることなく、本発明の技術的思想を逸脱しない範囲で種々変形して実施可能であるのは勿論である。
【００８２】
【発明の効果】
請求項１及び請求項４の発明によれば、呼出検出回路は、所定周波数を含む第１周期の呼出信号が電話回線を介して入力されるとともに、第１周期とは異なる所定周波数を含む第２周期の通信前情報通知信号が呼出信号の前に入力されるとき、第１周期及び第２周期に基づき呼出信号を検出し、鳴音回数カウンタは、呼出検出回路で検出された呼出信号による電話機の鳴音回数をカウントし、通信処理部は、カウントされた鳴音回数が予め設定された設定着信回数に一致した場合にセンタとの間で通信を行う。
【００８３】
従って、呼出信号の前に通信前情報通知信号が入力された場合であっても、その通信前情報通知信号を回避し、設定着信回数でリンギング着信を行うことができる。
【００８４】
また、所定周波数検出部が通信前情報通知信号の所定周波数を検出すると、判定部は、その所定周波数を検出した時から第１オン時間が経過後の第１のオフ時間内の一定時間において所定周波数の有無を判定する判定処理を行い、所定周波数が有りと判定した場合に判定処理を再度実行する。そして、所定周波数が無いと判定した場合には、呼出信号を検出したと判定するため、鳴音回数カウンタが鳴音回数をカウントする。
【００８５】
すなわち、呼出信号前の通信前情報通知信号を回避でき、鳴音回数を正確にカウントすることができるため、リンギング着信を設定着信回数で行うことができる。
【００８６】
請求項２及び請求項５の発明によれば、電話回線を介して呼出信号のみが入力されるときに、呼出信号の所定周波数を検出した時から第１オン時間が経過後の一定時間において、判定部が、所定周波数の有無を判定する判定処理を行い、所定周波数が無いと判定した場合に呼出信号を検出したと判定する。
【００８７】
すなわち、一般の電話回線においても、鳴音回数を正確にカウントすることができるため、リンギング着信を設定着信回数で行うことができる。
【００８８】
請求項３及び請求項６の発明によれば、第２オン時間と第２オフ時間との合計時間を、第１オン時間と略同一時間とし、一定時間を、第１オン時間と略同一時間とすることで、呼出信号と通信前情報通知信号とを容易に区別し、通信前情報通知信号を回避することができる。
【図面の簡単な説明】
【図１】本発明の自動通報装置の実施の形態の概略構成ブロック図である。
【図２】実施の形態の自動通報装置を含む自動通報システムの構成ブロック図である。
【図３】実施の形態の自動通報装置を含む自動通報システムの簡易リンギング通信の基本シーケンスを示す図である。
【図４】実施の形態の自動通報装置のタイムシーケンスを示す図である。
【図５】実施の形態の自動通報装置の動作を説明するフローチャートである。
【図６】ナンバーディスプレイ信号の回避処理を説明するためのタイミングチャートである。
【図７】鳴音信号の検出を説明するためのタイミングチャートである。
【図８】従来の自動通報装置を含む自動通報システム装置の構成ブロック図である。
【図９】従来の自動通報システム装置の動作を説明するフローチャートである。
【図１０】発信電話番号及び発信電話番号拡張情報を示す図である。
【図１１】着信時のナンバーディスプレイ信号及び鳴音信号を示す図である。
【符号の説明】
１  センタ
２ａ，２ｂ  交換機
３ａ，３ｂ  電話回線
４  自動通報装置
５  電話機
７ａ〜７ｎ  ガスメータ
１１  １６Ｈｚ検出回路
１３  極性反転検出回路
１５  回線電流検出回路
１７  整流回路
１８  直流閉結回路
１９  モデム
２１  切替スイッチ
２３  オフフック検出回路
２７  制御部
２９  インターフェイス
３１  １６Ｈｚ検出部
３３  １６Ｈｚ検出電源
３５  １．５秒タイマ
３７  １秒タイマ
３９  １６Ｈｚ有無判定部
４１  鳴音回数カウンタ
４３  設定着信回数メモリ
４５  リンギング通信処理部
４７  記憶部
【図１】
0003642955.tif 000002
【図２】
0003642955.tif 000003
【図３】
0003642955.tif 000004
【図４】
0003642955.tif 000005
【図５】
0003642955.tif 000006
【図６】
0003642955.tif 000007
【図７】
0003642955.tif 000008
【図８】
0003642955.tif 000009
【図９】
0003642955.tif 000010
【図１０】
0003642955.tif 000011
【図１１】
0003642955.tif 000012